(57)【要約】【課題】  情報を記録する場合に、広告情報を挿入した情報を記録可能としユーザが特典を得ることが可能な情報記録装置、広告情報管理装置、情報記録方法、情報記録プログラム及び広告情報管理システムを提供する。【解決手段】  広告挿入サーバ３０９が、情報に挿入する広告情報を選択し、この選択に基づいて、情報に挿入する広告情報を広告挿入端末３０８に送信し、広告挿入端末３０８が、情報に挿入する広告情報を受信し、番組録画・録音端末３０７に、情報に広告情報を挿入して記録し、情報に広告情報が挿入されて記録されたことを、特典を得るために広告挿入サーバ３０９に通知し、広告挿入サーバ３０９が、通知された特典を得るための通知を受信し、この通知に基づいてユーザに与える特典に関する情報を記録する。【選択図】  図３
2005128638.tif 000002
【特許請求の範囲】
【請求項１】
受信した情報を記録する情報記録装置において、
広告情報を前記情報に挿入するかどうかを示す指示情報に従って、前記情報に前記広告情報を挿入して記録手段に記録する記録実行手段を備えることを特徴とする情報記録装置。
【請求項２】
利用者が使用する情報記録装置から、前記情報記録装置が記憶した情報に広告情報が挿入されて記録されたことを示す通知を受信する受信手段と、
前記通知の内容を基に前記広告情報に関するデータを更新する広告情報管理手段とを備えることを特徴とする広告情報管理装置。
【請求項３】
受信した情報を記録する情報記録方法において、
広告情報を前記情報に挿入するかどうかを示す指示情報に従って、前記情報に前記広告情報を挿入して記録手段に記録する記録実行ステップを備えることを特徴とする情報記録方法。
【請求項４】
受信した情報を記録するコンピュータを、
広告情報を前記情報に挿入するかどうかを示す指示情報に従って、前記情報に前記広告情報を挿入して記録手段に記録する記録実行手段として機能させることを特徴とする情報記録プログラム。
【請求項５】
広告情報を情報に挿入するかどうかを示す指示情報に従って、前記情報を記録する記録手段に、前記情報に前記広告情報を挿入して記録する記録実行手段と、
前記情報に前記広告情報が挿入されて前記記録手段に記録されたことを利用者を管理する広告情報管理装置に通知する通知手段とを有する情報記録装置と、
前記通知を受信する受信手段と、
前記通知の内容を基に前記広告情報に関するデータを更新する広告情報管理手段とを備えることを特徴とする広告情報管理装置とを備えることを特徴とする広告情報管理システム。
【発明の詳細な説明】
【技術分野】
【０００１】
本発明は、情報記録装置、広告情報管理装置、情報記録方法、情報記録プログラム及び広告情報管理システムに関する。
【背景技術】
【０００２】
従来、例えば放送局等の情報の配信者からＴＶ番組等の情報を配信する技術がある。このような技術では、情報の配信を無償で行う場合と、有償で行う場合とがある。情報を放送局等の情報の配信者が無償で配信する場合は、放送局等の情報の配信者側が広告を付けて情報を配信し、その情報をユーザの受信端末が受信し、記録する。一方、情報を放送局等の情報の配信者が有償で配信する場合は、一般的には広告を情報に付けずにユーザの受信端末に配信する。
【特許文献１】特開２００２−４４６３７号公報
【発明の開示】
【発明が解決しようとする課題】
【０００３】
しかし、従来技術では、放送局等の情報の配信者が広告を付けずに有償で情報を配信している場合、たとえユーザが広告があっても無償でみることを欲したとしても、ユーザはその情報を無償で受信し、記録することはできなかった。
【０００４】
また、従来、放送局等の情報の配信者は、情報に広告情報を付けて無償で配信していたが、最近では、放送局等の情報の配信者も配信内容を有償で配信する場合も増えてきている。
【０００５】
また、情報に広告情報を付ける場合、放送局等の情報の配信者しか配信する広告の内容を選択できない。結果としてほとんどの人が同じ広告を見るため、不要な広告を見せられたり、年齢層や、嗜好などで細かな差別化を図れなかった。
【０００６】
さらに、放送局等の情報の配信者は、１つの情報の配信を、広告情報付きの無償情報として配信するか、または、広告情報が付いてない有償情報として配信するかのいずれか一方を採用するのが一般的であり、広告情報付きの無償情報を広告情報が付いてない有償情報として配信するというような切り替えを行うようなことはしていない。
【０００７】
その結果、広告情報をつけても無償で配信される情報を記録したいユーザや、有償でも良いから広告情報を外して欲しいユーザがいるにもかかわらず、放送局等の情報の配信者ではこのような要望を満足するために両方の種類の情報の配信を行ったり、有償の情報の配信を無償の情報の配信にするような複雑なサービスは行っていないため、ユーザの希望を満足させることができない場合があった。
【０００８】
本発明の目的は、情報を記録する場合に、広告情報を挿入した情報を記録可能としユーザが特典を得ることが可能な情報記録装置、広告情報管理装置、情報記録方法、情報記録プログラム及び広告情報管理システムを提供することにある。
【課題を解決するための手段】
【０００９】
情報記録装置は、
受信した情報を記録する情報記録装置において、
広告情報を前記情報に挿入するかどうかを示す指示情報に従って、前記情報に前記広告情報を挿入して記録手段に記録する記録実行手段を備えることを特徴とする。
【００１０】
また、情報記録装置は、
前記指示情報を生成する指示情報生成手段を備えることを特徴とする。
また、情報記録装置は、
前記情報に前記広告情報が挿入されて前記記録手段に記録されたことを利用者を管理する広告情報管理装置に通知する通知手段をさらに備えることを特徴とする。
【００１１】
また、広告情報管理装置は、
利用者が使用する情報記録装置から、前記情報記録装置が記憶した情報に広告情報が挿入されて記録されたことを示す通知を受信する受信手段と、
前記通知の内容を基に前記広告情報に関するデータを更新する広告情報管理手段とを備えることを特徴とする。
【００１２】
また、広告情報管理装置は、
広告情報を前記情報に挿入するかどうかを示す指示情報を生成する指示情報生成手段と、
前記指示情報を前記利用者が使用する前記情報記録装置へ送信する指示情報送信手段とを備えることを特徴とする。
【００１３】
また、情報記録方法は、
受信した情報を記録する情報記録方法において、
広告情報を前記情報に挿入するかどうかを示す指示情報に従って、前記情報に前記広告情報を挿入して記録手段に記録する記録実行ステップを備えることを特徴とする。
【００１４】
また、情報記録方法は、
前記指示情報を生成する指示情報生成ステップを備えることを特徴とする。
また、情報記録方法は、
前記情報に前記広告情報が挿入されて前記記録手段に記録されたことを利用者を管理する広告情報管理装置に通知する通知ステップをさらに備えることを特徴とする。
【００１５】
また、広告情報管理方法は、
利用者が使用する情報記録装置から、前記情報記録装置が記憶した情報に広告情報が挿入されて記録されたことを示す通知を受信する受信ステップと、
前記通知の内容を基に前記広告情報に関するデータを更新する広告情報管理ステップとを備えることを特徴とする。
【００１６】
また、広告情報管理方法は、
広告情報を前記情報に挿入するかどうかを示す指示情報を生成する指示情報生成ステップと、
前記指示情報を前記利用者が使用する前記情報記録装置へ送信する指示情報送信ステップとを備えることを特徴とする。
【００１７】
また、情報記録プログラムは、
受信した情報を記録するコンピュータを、
広告情報を前記情報に挿入するかどうかを示す指示情報に従って、前記情報に前記広告情報を挿入して記録手段に記録する記録実行手段として機能させることを特徴とする。
【００１８】
また、情報記録プログラムは、
前記コンピュータを、
前記指示情報を生成する指示情報生成手段として機能させることを特徴とする。
【００１９】
また、情報記録プログラムは、
前記コンピュータを、
前記情報に前記広告情報が挿入されて前記記録手段に記録されたことを利用者を管理する広告情報管理装置に通知する通知手段として機能させることを特徴とする。
【００２０】
また、広告情報管理プログラムは、
コンピュータを、
利用者が使用する情報記録装置から、前記情報記録装置が記憶した情報に広告情報が挿入されて記録されたことを示す通知を受信する受信手段、及び、
前記通知の内容を基に前記広告情報に関するデータを更新する広告情報管理手段として機能させることを特徴とする。
【００２１】
また、広告情報管理プログラムは、
前記コンピュータを、
広告情報を前記情報に挿入するかどうかを示す指示情報を生成する指示情報生成手段、及び、
前記指示情報を前記利用者が使用する前記情報記録装置へ送信する指示情報送信手段として機能させることを特徴とする。
【００２２】
また、広告情報管理システムは、
広告情報を情報に挿入するかどうかを示す指示情報に従って、前記情報を記録する記録手段に、前記情報に前記広告情報を挿入して記録する記録実行手段と、
前記情報に前記広告情報が挿入されて前記記録手段に記録されたことを利用者を管理する広告情報管理装置に通知する通知手段とを有する情報記録装置と、
前記通知を受信する受信手段と、
前記通知の内容を基に前記広告情報に関するデータを更新する広告情報管理手段とを備えることを特徴とする広告情報管理装置とを備えることを特徴とする。
【００２３】
また、広告情報管理システムは、
前記情報記録装置が、前記指示情報を生成する指示情報生成手段をさらに備えることを特徴とする。
【００２４】
また、広告情報管理システムは、
前記広告情報管理装置が、前記指示情報を生成する指示情報生成手段をさらに備えることを特徴とする。
【００２５】
本発明の作用の一例について説明する。本発明では、例えば、ユーザの広告挿入端末は、契約した広告代理店から任意の広告情報を受信し、有償で配信される情報に広告情報を挿入して記録する。ここで、情報の配信者としては例えば放送局を挙げることができるが、本発明は、情報の配信者として放送局に限定されるものではない。
【００２６】
広告挿入端末は、受信した情報に広告情報を挿入することにより、例えば有償放送に支払う代金を広告主から放送局等の情報の配信者側に払ってもらう。そして、ユーザは有償放送の情報を無償あるいは特典のある情報として記録できる。
【００２７】
このように、情報に、広告情報を挿入して記録させるサービスを以下、録画・録音指示サービスという。なお、本発明では、情報を記録する場合、画像情報ならば録画する処理
となり、音情報ならば録音する処理となる。また、以下の説明において、情報の記録を単に情報の録画ということもあるが、情報に画像情報のみならず音情報も含まれている場合、単に録画を行う処理に、明言せずとも録音する処理が含まれている場合もある。
【００２８】
本発明では、広告代理店などの録画・録音指示サービスを提供する者の広告挿入サーバが、（１）広告代理店などのサービスを提供する者が提供する、例えば広告動画、広告静止画、広告音声、広告文字及び広告リンク又はこれらの任意の組み合わせなどのマルチメディアの情報が含まれる広告情報と、一定の場合に（２）広告情報を情報に挿入することを示す録画・録音指示情報とを関連付けて、ユーザの広告挿入端末に送信する。
【００２９】
ここで、広告情報と録画・録音指示情報とを関連付けるとは、例えば、広告情報と録画・録音指示情報とが対応していることをいう。したがって、広告情報と録画・録音指示情報とが対応していれば、広告挿入サーバから広告挿入端末には、広告情報と録画・録音指示情報とが一緒に送信されても良いし、別々に送信されても良い。
【００３０】
なお、録画・録音指示情報は、広告挿入サーバが生成して広告挿入端末に送信する場合のみではなく、広告挿入端末が生成する場合もある。この場合、広告挿入サーバから広告挿入端末への録画・録音指示情報の送信は不要となる。
【００３１】
ユーザの広告挿入端末では、例えばＴＶ番組などの有償で放送された情報を記録する際に、（３）番組の情報を録画、録音時に録画・録音指示情報に基づいて広告情報を番組の情報に挿入する。
【００３２】
ここで、広告情報を情報に挿入する際は、情報の先頭に広告情報を挿入しても良いし、録画・録音指示情報の中に広告情報を挿入するための情報を持ち、それに従って広告情報を情報に挿入しても良い。
【００３３】
なお、本発明において、ユーザに与える特典としては、お金、各種ポイント、景品、サービスの提供及びこれらの任意の組み合わせなどを一例として挙げることができる。また、ユーザに関する特典を管理する装置とは、例えば広告挿入サーバを挙げることができる。また、ユーザが使用する端末とは、例えば広告挿入端末を挙げることができる。
【発明の効果】
【００３４】
本発明によれば、録画・録音指示サービスを提供する者が独自に用意した内容の広告を示す広告情報を、ユーザが受信し、録画・録音する番組の情報に挿入することができるので、この録画・録音指示サービスを提供する者は、広告主から収入を得ることができる。
【００３５】
ユーザは、録画・録音指示サービスを提供する者と契約して、広告情報を受信し、有償放送として配信された情報に広告情報を挿入して記録する。ユーザは、広告情報を情報に挿入することにより有償で配信される情報に対して情報の配信者である例えば放送局に支払う代金を広告主から払ってもらい、無償あるいは特典のある配信情報として記録できる。
【００３６】
さらに、ユーザは、録画・録音指示サービスを提供する者を選択することにより自分のメリットにあった広告主を選択できる。また、広告主はユーザに自分の広告を確実に見てもらえるため、広告宣伝効果を上げることができ、さらに、広告を通じて商品の購入のサポートになる。また、有償の情報を配信する者は、ユーザの希望により有償の情報配信を無償にするというサービスを提供する必要もなくなり、複雑な処理が不要となる。
【発明を実施するための最良の形態】
【００３７】
以下、図面を参照して本発明を実施するための最良の形態について説明する。以下の実施の形態の構成は例示であり、本発明は実施の形態の構成に限定されない。まず、本発明に係る情報記録装置としての広告挿入端末（以下、単に本発明に係る広告挿入端末ともいう。）の一実施形態を用いたシステムの概念について図１を参照して説明する。図１は、本発明に係る広告挿入端末の一実施形態を用いたシステムの概念図である。
【００３８】
図１に示されるように、本システムは、互いにネットワーク１０３を介して情報を交換する家庭１０１と、録画・録音指示サービス１０２とを備える。家庭１０１には、広告挿入端末１０４が備えられ、この広告挿入端末１０４は、録画・録音指示サービス１０２からの指示にしたがって、番組の間に広告情報を挿入して、記録すべき情報１０５とする。
【００３９】
録画・録音指示サービス１０２は、インターネット番組表（Ｉ−ＥＰＧ）や録画・録音指示情報等の各種の情報１０６と、広告情報１０７を家庭１０１内の広告挿入端末１０４に送信する。
【００４０】
なお、広告情報１０７は、本発明では特に限定するものではなく、広告動画、広告静止画、広告文字、広告リンクのＵＲＬなどを任意に組み合わせて用いることができる。次に、図２を参照して、本発明に係る広告挿入端末の一実施形態を用いたシステムの構成の概略について説明する。図２は、本発明に係る広告挿入端末の一実施形態を用いたシステムの概略構成図である。
【００４１】
図２に示されるシステムは、家庭２０１と録画・録音指示サービス２０２とがネットワーク２０３により接続されている。家庭２０１には、番組表表示選択部２０４と、録画・録音指示実行部２０５と、録画・録音状況通知部２０６と、記録媒体２０７とを備える。
【００４２】
また、録画・録音指示サービス２０２には、インターネット番組表送信部２０８と、録画・録音指示情報生成・送信部２０９と、録画・録音情報管理部２１０と、広告情報送信部２１１とを備える。以下、図２に示されるシステムの動作について説明する。
【００４３】
まず、インターネット番組表送信部２０８は、番組表（放送時間や番組一覧）を番組表表示選択部２０４に送信する（１）。次に、番組表表示選択部２０４は、ユーザが選択した番組情報を、録画・録音指示情報生成・送信部２０９に送信する（２）。
【００４４】
次に、録画・録音指示情報生成・送信部２０９は、録画の可否、課金の可否、広告挿入の可否、割引の可否、優待の可否などの情報を、録画・録音情報管理部２１０に問い合わせる（３）。
【００４５】
次に、録画・録音指示情報生成・送信部２０９は、処理（３）での問い合せ結果にしたがって、広告情報を送信する場合は広告情報の送信を広告情報送信部２１１に指示する（５）。
【００４６】
また、録画・録音指示情報生成・送信部２０９は、録画・録音指示情報を録画・録音指示実行部２０５に送信する（５）。この録画・録音指示情報の中には広告情報を情報に挿入するための情報が含まれる。
【００４７】
次に、録画・録音指示実行部２０５は、受信した、例えば番組等の情報を広告情報を挿入して記録媒体２０７に録画及び録音する処理を実行する（６）。次に、録画・録音状況通知部２０６は、正常な録画及び録音の終了を検出する（７）。
【００４８】
次に、正常な録画及び録音の終了を検出した録画・録音状況通知部２０６は、録画及び
録音の終了を録画・録音情報管理部２１０に通知する（８）。ここで、録画・録音指示情報生成・送信部２０９は家庭２０１にあってもよい。
【００４９】
また、録画・録音状況通知部２０６は、録画及び録音の終了を録画・録音情報管理部２１０に通知する場合、１つの情報の録画及び録音の終了毎に逐時通知を送信するとしても良いが、複数の通知を一定時間格納しておき、所定のタイミングでまとめて録画・録音情報管理部２１０に通知を送信するとしても良い。また、録画・録音情報管理部２１０は広告情報管理部や課金管理部をかねる。
【００５０】
ここで、上記広告情報管理部は、誰がどの番組にどの広告をどれだけ付けていくら払うかの情報と、実際にどれだけ利用されたかの情報をもつ。また、課金管理部は、家庭において記録された番組の情報に対する課金情報と、番組に挿入された広告の情報の特典に関する情報とを記録する。
【００５１】
次に、図３を参照して、本発明に係る広告挿入端末の一実施形態を用いたシステムの構成の具体例について説明する。図３は、本発明に係る広告挿入端末の一実施形態を用いたシステムの構成図である。
【００５２】
図３に示されるシステムは、家庭３０１と、録画・録音指示サービス３０２とが互いにネットワーク３０３により接続されている。このネットワーク３０３として、例えばインターネットを挙げることができる。また、このネットワーク３０３は、ＣＡＴＶのネットワークや電話線なども用いることができる。
【００５３】
また、有償放送局３０４が、家庭３０１のチューナ３０６に対して本発明の情報としての有償放送を放送している。また、広告主３０５は、広告挿入サーバ３０２の広告情報管理部３１３に対して広告料支払いや広告注文、広告情報の送信などを行う。
【００５４】
家庭３０１は、チューナ３０６と、ハードディスクやビデオテープに情報を記録する番組録画・録音端末３０７と、広告挿入端末３０８とを備える。番組録画・録音端末３０７が使用する記録媒体は特に限定するものではない。
【００５５】
広告挿入端末３０８は、チューナ３０６から有償放送に対する課金情報を受信すると共に録画・録音指示実行部３１２からの情報に基づいて課金管理部３１４に課金情報と録画・録音状況とを送信する録画・録音状況通知部３１０と、番組表表示選択部３１１と、録画・録音指示実行部３１２とを備える。また、録画・録音指示サービス３０２は、広告挿入サーバ３０９を備える。
【００５６】
広告挿入サーバ３０９は、特定の番組やあるジャンルの番組に挿入する広告を例えば入札によって選択する広告情報管理部３１３と、課金管理部３１４と、インターネット番組表送信部３１５と、広告情報管理部３１３により選択された広告情報を広告挿入端末３０８の録画・録音指示実行部３１２に送信する広告情報送信部３１６と、録画・録音指示情報生成・送信部３１７とを備える。
【００５７】
なお、録画・録音指示情報生成・送信部３１７の機能は、家庭３０１側にその機能を設けることができる。この場合、広告挿入サーバ３０９の、録画・録音指示情報生成・送信部３１７が不要となる。例えば、録画・録音指示情報生成・送信部３１７の機能を広告挿入端末３０８に備えさせても良い。
【００５８】
次に、図３に示されるシステムの動作について説明する。まず、図４に、図３に示される広告挿入サーバ３０９の動作のフローチャートを示す。まず、インターネット番組表送
信部３１５は、広告挿入サーバ３０９にアクセスしてきた広告挿入端末を特定する（Ｓ４０１）。
【００５９】
次に、インターネット番組表送信部３１５は、ユーザの広告挿入端末に番組表を送信し、ユーザに番組表を見せて記録したい番組を選ばせる（Ｓ４０２）。ここで、ユーザに示される番組表について図５を参照して説明する。図５は、本発明に係る広告挿入端末の一実施形態が用いられるシステムにおいて、ユーザの広告挿入端末が広告挿入サーバにアクセスした際に、ユーザに示される番組表の一例を示す概略図である。
【００６０】
図５の（ａ）に示されるように、ユーザに示される番組表には、日付５０１、開始時刻及び終了時刻５０２、チャンネル５０３及び番組情報５０４が表示される。そして、図５の（ｂ）に示されるように、番組情報５０４には、例えば、番組ジャンルコード、番組コード、番組名、番組内容、視聴料金、広告優待料金、録画・録音指示情報などの情報が含まれ、ユーザが確認することができるようになっている。なお、録画・録音指示情報に関する情報は、例えば後述する図７に示される。
【００６１】
次に、図４に示されるＳ４０２において、ユーザが記録する番組を選択すると、番組表表示選択部３１１は、ユーザが選択した番組の情報を録画・録音指示情報生成・送信部３１７に送信する。
【００６２】
次に、録画・録音指示情報生成・送信部３１７は、広告情報管理部３１３に記録されている広告情報管理テーブルに基づいて、ユーザの選んだ番組に挿入する広告に関する情報確認する（Ｓ４０３）。ここで、録画・録音指示情報生成・送信部３１７が確認するユーザの選んだ番組に挿入する広告に関する情報とは、例えば、広告の内容や、広告を番組に挿入する時刻などの情報がある。
【００６３】
ここで、広告情報管理部３１３に記録されている広告情報管理テーブルについて図６を参照して説明する。図６は、本発明に係る広告挿入端末の一実施形態が用いられるシステムにおいて、広告情報管理部３１３に記録されている広告情報管理テーブルの概念図である。
【００６４】
図６の（ａ）が広告情報管理部３１３に記録されている広告情報管理テーブルの概念図であり、図６の（ｂ）が、広告情報管理テーブルの入札広告主識別情報で識別される入札広告主である顧客会社の請求先を示す顧客会社請求先情報の概念図である。
【００６５】
広告情報管理テーブルには、番組あるいは識別情報と、予想配信数と、広告枠と、入札広告主識別情報と、希望最大広告数と、配信優先順位と、入札価格と、広告情報識別コードと、配信予想広告数と、実広告数と、広告費支払済とを項目として備える。
【００６６】
番組あるいはジャンル識別情報は、番組名又は番組のジャンルを示す。予想配信数は、番組の情報の配信先の広告挿入端末の数の予想値を示す。広告枠は、広告を挿入する番組における、時間的に異なる複数の枠を示す。
【００６７】
入札広告主識別情報は、番組に広告を挿入することを希望する広告主の情報を示す。希望最大広告数は、各広告主が希望する広告の情報を記録させる広告挿入端末の数を示す。配信優先順位は、各広告主毎の所定の枠の優先度を示す。この優先度は、一般的には入札価格の大きさと一致するが、入札価格以外の要素も考慮され、入札価格と一致しない場合もある。
【００６８】
入札価格は、各広告主が、所定の枠に広告情報を挿入し、それをユーザが広告挿入端末
に記録した場合に、ユーザに与える特典としての金銭の価格を示す。なお、本発明においては、ユーザに与える特典としては金銭に限るものではなく、各種のポイントなどであっても良い。
【００６９】
広告情報識別コードは、各広告主が番組に挿入する広告情報の識別コードを示す。配信予想広告数は、予想配信数、希望最大広告数及び配信優先順位によって決定される、各広告主ごとの、広告情報が配信されるユーザの広告挿入端末の数を示す。実広告数は、現在、広告を配信した広告挿入端末の数を示す。
【００７０】
広告費支払済は、各広告主から広告費用が本発明の録画・録音サービスを提供する会社に支払われたか否かを示す。一方、図６の（ｂ）に示される顧客会社請求先情報には、入札広告主識別情報と、請求先と、電話と、担当者とが項目として挙げられている。
【００７１】
次に、図４のフローチャートの説明にもどる。録画・録音指示情報生成・送信部３１７は、確認した広告に関する情報に基づいて、録画・録音指示情報を作成する（Ｓ４０４）。ここで、録画・録音指示情報生成・送信部３１７が作成する録画・録音指示情報について図７を参照して説明する。
【００７２】
図７は、本発明に係る広告挿入端末の一実施形態が用いられるシステムにおいて、録画・録音指示情報生成・送信部３１７が作成する録画・録音指示情報の構成を示す概念図である。
【００７３】
図７に示される例では、タイプ１の録画・録音指示情報として、番組を特定してＣＭ（広告）を挿入する場合の録画・録音指示情報と、タイプ２の録画・録音指示情報として、チャンネルと番組ジャンルを特定してＣＭ（広告）を挿入する場合との２つを例示した。
【００７４】
図７に示されるように、タイプ１及びタイプ２共に、チャンネル、開始日時、終了日時、広告（１）情報識別コード、広告（１）情報の挿入位置、広告（２）情報識別コード、広告（２）情報の挿入位置、（３）以降同様の項目となっている。
【００７５】
また、タイプ１は、番組コードを項目として有している。また、タイプ２は、番組ジャンルを項目として有している。また、例えば、タイプ２の広告（１）情報識別コード、／ｃｍ／ｋｏｕｋｏｋｕ４５９２．ｍｐｇについては、広告情報として、ＣＭ映像のストリームが設定され、また、例えば、広告（２）情報識別コード、／ｃｍ／ｋｏｕｋｏｋｕ０１２３．ｍｐｇについては、広告情報として、ＣＭ映像のストリームが設定されている。
【００７６】
次に、図４のフローチャートの説明にもどる。録画・録音指示情報生成・送信部３１７及び広告情報送信部３１６は、ユーザが指定した広告挿入端末の録画・録音指示実行部３１２に対して、録画・録音指示情報と、広告情報とを対応付けて送信する（Ｓ４０５）。ここで、録画・録音指示情報と、広告情報とを対応付けることには、例えば図７に示されるように録画・録音指示情報に、広告情報送信部３１６が送信する広告情報の識別コードを付与することが考えられる。
【００７７】
次に、図３に示される広告挿入端末３０８の動作について図８を参照して説明する。図８は、図３に示される広告挿入端末３０８の動作のフローチャートである。図８に示されるように、まず、Ｓ８０１において、録画・録音指示実行部３１２は、録画・録音指示情報生成・送信部３１７から送信された録画・録音指示情報と、広告情報送信部３１６から送信された広告情報とを受信する。
【００７８】
次に、録画・録音指示実行部３１２は、録画・録音指示情報で指示された状態になるま
で待つ（Ｓ８０２）。この、録画・録音指示情報で指示された状態とは、例えば、ユーザが選択した番組の放送が開始された後の所定の時刻のことを挙げることができる。
【００７９】
次に、録画・録音指示実行部３１２は、録画・録音指示情報で指示された状態になった場合、録画・録音指示情報にしたがい、番組の情報を一時記録する（Ｓ８０３）。ここで、番組を一時記録するのは、番組の情報に広告情報を挿入して、直接、番組録画・録音端末３０７に記録することができない場合を考慮したものであり、もし、番組の情報に広告情報を挿入して、直接、番組録画・録音端末３０７に記録することができる場合は、Ｓ８０３における一時記録動作を削除しても良い。
【００８０】
次に、録画・録音指示実行部３１２は、一時記録した情報に広告情報を挿入して、番組録画・録音端末に記録する（Ｓ８０４）。ここで、Ｓ８０４において記録される情報について図９を参照して説明する。図９は、図３に示される、録画・録音指示実行部３１２が、番組録画・録音端末３０７に記録する情報の概念図である。
【００８１】
図９に示される例では、ＴＶ番組にスポンサーのＣＭを挿入する場合を例に説明する。図９に示されるように、スポンサーのＣＭ９００が、もともとのＴＶ番組９０１に挿入される。
【００８２】
すなわち、本編としてのもともとのＴＶ番組９０１の合間には、広告動画として○×○社のＣＭを内容とするスポンサーのＣＭ９００が挿入される。そして、本編と広告とが組み合わされて記録する情報９０２とされる。
【００８３】
次に、録画・録音指示実行部３１２は、番組の情報の記録が完了したことを録画・録音状況通知部３１０に通知する。録画・録音状況通知部３１０は、録画・録音状況として番組の情報の記録が正常に完了したことを課金管理部３１４に通知する（Ｓ８０５）。
【００８４】
次に、広告挿入端末から番組の記録が正常に完了した後の、図３に示される広告挿入サーバの動作について図１０を参照して説明する。図１０は、図３に示される広告挿入サーバ３０９の動作のフローチャートである。
【００８５】
まず、Ｓ１００１において、課金管理部３１４は、広告挿入端末から正常に番組の情報の記録が終了した旨の情報を受信する。次に、課金管理部３１４はその情報を契約視聴者情報として記録する（Ｓ１００２）。ここで、課金管理部３１４により記録される契約視聴者情報について、図１１を参照して説明する。図１１は、図３に示される課金管理部３１４により記録される契約視聴者情報の概念図である。
【００８６】
図１１の（ａ）に示されるように、契約視聴者情報は、個人特定ＩＤと、視聴番組と、放送日と、チャンネルと、番組コードと、配信広告料と、領収確認済みと、広告費支払いとを項目として有している。
【００８７】
ここで、配信広告料とは、広告を挿入したことに対する特典である。この特典は、図１１ではお金になっているが、お金に限定されるものではなく、各種のポイントなどであっても良い。
【００８８】
領収確認済みとは、本実施形態の録画・録音指示サービスを実施する会社が、広告主から広告料を領収したか否かを示す情報である。広告費支払いとは、本実施形態の録画・録音指示サービスを実施する会社がユーザに対して広告費を支払ったか否かを示す情報である。
【００８９】
また、図１１の（ｂ）に示されるように、個人特定ＩＤに対応する情報は、個人特定情報が対応している。この個人特定情報には、ＩＤ、名前、住所、電話、振込先、代行支払先の情報が項目として有している。
【００９０】
次に、広告情報管理部３１３は、例えば有償放送局３０４に対して視聴料を支払うなどの課金処理を行なう（Ｓ１００３）。なお、本実施形態では、例えば所定の広告挿入端末が常に録画・録音指示サービスを受けるという設定や、ある局から放送される情報を記録する場合に録画・録音指示サービスを受けるという局ごとの設定や、ある番組の情報を記録する場合に録画・録音指示サービスを受けるという番組毎の設定が用いることができる。
【００９１】
以上のように、本発明に係る広告挿入端末の一実施形態を用いたシステムでは、ユーザは、有償で放送される番組等の情報に自己の希望により広告情報を挿入して特典を得ることができる。
【００９２】
また、ユーザは、自己の興味や必要に合った広告情報を挿入する録画・録音指示サービスを提供する者を選択することにより、番組の情報に挿入される広告情報の内容を、自己の興味や必要に合った広告とすることができる。
【００９３】
（付記１）  受信した情報を記録する情報記録装置において、
広告情報を前記情報に挿入するかどうかを示す指示情報に従って、前記情報に前記広告情報を挿入して記録手段に記録する記録実行手段を備えることを特徴とする情報記録装置。
【００９４】
（付記２）  前記指示情報を生成する指示情報生成手段を備えることを特徴とする付記１に記載の情報記録装置。
（付記３）  前記情報に前記広告情報が挿入されて前記記録手段に記録されたことを利用者を管理する広告情報管理装置に通知する通知手段をさらに備えることを特徴とする付記１に記載の情報記録装置。
【００９５】
（付記４）  利用者が使用する情報記録装置から、前記情報記録装置が記憶した情報に広告情報が挿入されて記録されたことを示す通知を受信する受信手段と、
前記通知の内容を基に前記広告情報に関するデータを更新する広告情報管理手段とを備えることを特徴とする広告情報管理装置。
【００９６】
（付記５）  広告情報を前記情報に挿入するかどうかを示す指示情報を生成する指示情報生成手段と、
前記指示情報を前記利用者が使用する前記情報記録装置へ送信する指示情報送信手段とを備えることを特徴とする付記４に記載の広告情報管理装置。
【００９７】
（付記６）  受信した情報を記録する情報記録方法において、
広告情報を前記情報に挿入するかどうかを示す指示情報に従って、前記情報に前記広告情報を挿入して記録手段に記録する記録実行ステップを備えることを特徴とする情報記録方法。
【００９８】
（付記７）  前記指示情報を生成する指示情報生成ステップを備えることを特徴とする付記６に記載の情報記録方法。
（付記８）  前記情報に前記広告情報が挿入されて前記記録手段に記録されたことを利用者を管理する広告情報管理装置に通知する通知ステップをさらに備えることを特徴とする付記６に記載の情報記録方法。
【００９９】
（付記９）  利用者が使用する情報記録装置から、前記情報記録装置が記憶した情報に広告情報が挿入されて記録されたことを示す通知を受信する受信ステップと、
前記通知の内容を基に前記広告情報に関するデータを更新する広告情報管理ステップとを備えることを特徴とする広告情報管理方法。
【０１００】
（付記１０）  広告情報を前記情報に挿入するかどうかを示す指示情報を生成する指示情報生成ステップと、
前記指示情報を前記利用者が使用する前記情報記録装置へ送信する指示情報送信ステップとを備えることを特徴とする付記９に記載の広告情報管理方法。
【０１０１】
（付記１１）  受信した情報を記録するコンピュータを、
広告情報を前記情報に挿入するかどうかを示す指示情報に従って、前記情報に前記広告情報を挿入して記録手段に記録する記録実行手段として機能させることを特徴とする情報記録プログラム。
【０１０２】
（付記１２）  前記コンピュータを、
前記指示情報を生成する指示情報生成手段として機能させることを特徴とする付記１１に記載の情報記録プログラム。
【０１０３】
（付記１３）  前記コンピュータを、
前記情報に前記広告情報が挿入されて前記記録手段に記録されたことを利用者を管理する広告情報管理装置に通知する通知手段として機能させることを特徴とする付記１１に記載の情報記録プログラム。
【０１０４】
（付記１４）  コンピュータを、
利用者が使用する情報記録装置から、前記情報記録装置が記憶した情報に広告情報が挿入されて記録されたことを示す通知を受信する受信手段、及び、
前記通知の内容を基に前記広告情報に関するデータを更新する広告情報管理手段として機能させることを特徴とする広告情報管理プログラム。
【０１０５】
（付記１５）  前記コンピュータを、
広告情報を前記情報に挿入するかどうかを示す指示情報を生成する指示情報生成手段、及び、
前記指示情報を前記利用者が使用する前記情報記録装置へ送信する指示情報送信手段として機能させることを特徴とする付記１４に記載の広告情報管理プログラム。
【０１０６】
（付記１６）  広告情報を情報に挿入するかどうかを示す指示情報に従って、前記情報を記録する記録手段に、前記情報に前記広告情報を挿入して記録する記録実行手段と、
前記情報に前記広告情報が挿入されて前記記録手段に記録されたことを利用者を管理する広告情報管理装置に通知する通知手段とを有する情報記録装置と、
前記通知を受信する受信手段と、
前記通知の内容を基に前記広告情報に関するデータを更新する広告情報管理手段とを備えることを特徴とする広告情報管理装置とを備えることを特徴とする広告情報管理システム。
【０１０７】
（付記１７）  前記情報記録装置が、前記指示情報を生成する指示情報生成手段をさらに備えることを特徴とする付記１６に記載の広告情報管理システム。
（付記１８）  前記広告情報管理装置が、前記指示情報を生成する指示情報生成手段をさらに備えることを特徴とする付記１６に記載の広告情報管理システム。
【図面の簡単な説明】
【０１０８】
【図１】本発明に係る広告挿入端末の一実施形態を用いたシステムの概念図である。
【図２】本発明に係る広告挿入端末の一実施形態を用いたシステムの概略構成図である。
【図３】本発明に係る広告挿入端末の一実施形態を用いたシステムの構成図である。
【図４】図３に示される広告挿入サーバ３０９の動作のフローチャートである。
【図５】本発明に係る広告挿入端末の一実施形態が用いられるシステムにおいて、ユーザの広告挿入端末が広告挿入サーバにアクセスした際に、ユーザに示される番組表の一例を示す概略図である。
【図６】本発明に係る広告挿入端末の一実施形態が用いられるシステムにおいて、広告情報管理部３１３に記録されている広告情報管理テーブルの概念図である。
【図７】本発明に係る広告挿入端末の一実施形態が用いられるシステムにおいて、録画・録音指示情報生成・送信部３１７が作成する録画・録音指示情報の構成を示す概念図である。
【図８】図３に示される広告挿入端末３０８の動作のフローチャートである。
【図９】図３に示される、録画・録音指示実行部３１２が、番組録画・録音端末３０７に記録する情報の概念図である。
【図１０】図３に示される広告挿入サーバ３０９の動作のフローチャートである。
【図１１】図３に示される課金管理部３１４により記録される契約視聴者情報の概念図である。
【符号の説明】
【０１０９】
１０１  家庭
１０２  録画・録音指示サービス
１０３  ネットワーク
１０４  広告挿入端末
１０５  情報
１０６  情報
１０７  広告情報
２０１  家庭
２０２  録画・録音指示サービス
２０３  ネットワーク
２０４  番組表表示選択部
２０５  録画・録音指示実行部（記録実行手段）
２０６  録画・録音状況通知部（通知手段）
２０７  記録媒体（記録手段）
２０８  インターネット番組表送信部
２０９  録画・録音指示情報生成・送信部（指示情報生成手段，指示情報送信手段）
２１０  録画・録音情報管理部（受信手段,広告情報管理手段）
２１１  広告情報送信部
３０１  家庭
３０２  録画・録音指示サービス
３０３  ネットワーク
３０４  有償放送局
３０５  広告主
３０７  番組録画・録音端末（記録手段）
３０８  広告挿入端末（情報記録装置）
３０９  広告挿入サーバ（広告情報管理装置）
３１０  録画・録音状況通知部（通知手段）
３１１  番組表表示選択部
３１２  録画・録音指示実行部（記録実行手段）
３１３  広告情報管理部（広告情報管理手段）
３１４  課金管理部（受信手段）
３１５  インターネット番組表送信部
３１６  広告情報送信部
３１７  録画・録音指示情報生成・送信部（指示情報生成手段，指示情報送信手段）
５０１  日付
５０２  終了時刻
５０３  チャンネル
５０４  番組情報
９００  スポンサーのＣＭ
９０１  もともとのＴＶ番組
９０２  情報
【図１】
2005128638.tif 000003
【図２】
2005128638.tif 000004
【図３】
2005128638.tif 000005
【図４】
2005128638.tif 000006
【図５】
2005128638.tif 000007
【図６】
2005128638.tif 000008
【図７】
2005128638.tif 000009
【図８】
2005128638.tif 000010
【図９】
2005128638.tif 000011
【図１０】
2005128638.tif 000012
【図１１】
2005128638.tif 000013